(57)【要約】      （修正有）【課題】身体、食器、その他、被洗浄物の状態に合わせた使用が可能であり、使用形態の変化を楽しむことができ斬新であり、効果的且つ楽しみながら洗浄作業を行うことができる洗浄用具を提供する。【解決手段】ほぼ手のひらサイズのクッション材１が布で覆われ、片面のほぼ上半部に反対面に移行自在の手指入れ袋部５が形成され、該手指入れ部５の表裏両面に絵図６が表示されてなり、好ましくは、クッション材１の一側面の布地が粗めの布地であり、他側面の布地が細めの布地３である身体洗浄具。【選択図】図１
0003147633.tif 000002
【実用新案登録請求の範囲】
【請求項１】
ほぼ手のひらサイズのクッション材が布地で覆われ、片面のほぼ上半部に反対面に移行自在の手指入れ袋部が形成され、該手指入れ部の表裏両面に絵図が表示されてなることを特徴とする洗浄用具。
【請求項２】
前記クッション材の一側面の布地が粗めの布地であり、他側面の布地が細めの布地である請求項２に記載の洗浄用具。
【請求項３】
前記粗めの布地が一方向に編み目が強調された布地であることを特徴とする請求項２に記載の洗浄用具。
【請求項４】
前記細めの布地が抗菌処理を施された布地であることを特徴とする請求項２又は３に記載の洗浄用具。
【考案の詳細な説明】
【技術分野】
【０００１】
本考案は、洗浄用具に関し、身体、食器、その他、被洗浄物の状態に合わせた使用が可能であり、使用形態の変化を楽しむことができ斬新であることを特徴とする。
【背景技術】
【０００２】
本願考案者は、身体の洗浄具として、てのひらサイズのスポンジの一側面に垢すり布地が設けられ、他側面にタオル布地が設けられた垢とりパフを提供している（実用新案登録第３１２００６２号）。
【０００３】
前記垢とりパフは、さらに片面の略中央に手指部が挿入されるバンドが設けられ、該バンドが反対面に移行自在に構成されており、垢すりあるいは身体の洗浄を効果的に行うことができるものである。
【特許文献１】登録実用新案第３１２００６２号公報
【考案の開示】
【考案が解決しようとする課題】
【０００４】
前記垢とりパフは、文字どおり、身体の洗浄に使用されるが、本考案は、さらに食器、その他、被洗浄物の状態に合わせた使用が可能であり、使用形態の変化を楽しむことができ斬新であり、効果的且つ楽しみながら洗浄作業を行うことができる洗浄用具を提供することを目的とする。
【課題を解決するための手段】
【０００５】
前記目的を達成するため、本考案の洗浄用具は、ほぼ手のひらサイズのクッション材が布地で覆われ、片面のほぼ上半部に反対面に移行自在の手指入れ袋部が形成され、該手指入れ部の表裏両面に絵図が表示されてなることを特徴とするものである（請求項１）。
【０００６】
前記構成中の、ほぼ手のひらサイズは、子供の手のひらサイズから大人の手のひらサイズのいずれであってもよい。また、クッション材を布地で覆い全体に柔軟性を持たせているため、前記片面のほぼ上半部に形成した手指入れ袋部を反対面に容易に移行させることができるものである。いわゆるリバーシブルの構成である。
【０００７】
本考案では、さらに、前記手指入れ袋部の表裏両面に絵図が表示される。該絵図としては、例えば、子供達が喜ぶ動物の顔、頭部あるいは漫画の人物の顔、頭部等の、いわゆるキャラクターが考えられるが、その他であってもよい。
【０００８】
また、前記手指入れ袋部の表裏両面に表示する絵図（キャラクター）は、表裏両面を異なるものとすることが望ましい。すなわち、前記表裏両面に異なる絵図（キャラクター）を表示することにより、使用形態によって二種類の絵図（キャラクター）による変化を楽しむことができる。
【０００９】
本考案の実施の一形態は、前記クッション材の一側面の布地が荒めの布地であり、他側面の布地が細めの布地であることを特徴とする（請求項２）。この実施の一形態によれば、被洗浄物の状況に合わせた使用が可能である。例えば、身体の洗浄においては、粗めの布地面を垢すりとして使用し、細めの布地部分を身体洗浄用として使用することができる。
【００１０】
本考案の他の実施の一形態は、前記粗めの布地が一方向に編み目が強調された布地であることを特徴とする（請求項３）。この実施の一形態によれば、前記強調された編み目と交差する方向に布地を往復動させることにより、前記垢すり、あるいは被洗浄物に付着した頑固な汚れの除去を効果的に行うことができる。
【００１１】
本考案の他の実施の一形態は、前記細めの布地が抗菌処理を施されたものであることを特徴とする（請求項４）。この実施の一形態によれば、雑菌の付着が防止され衛生的である。
【考案の効果】
【００１２】
本考案の洗浄用具によれば、身体、食器、その他、被洗浄物の状態に合わせた使用が可能であり、使用形態の変化を楽しむことができ斬新であり、効果的且つ楽しみながら洗浄作業を行うことができる。
【考案を実施するための最良の形態】
【００１３】
以下、本考案の実施の一形態を図面に基づいて説明する。図１は、本考案に係る洗浄用具の一部切欠及び使用状態を示す平面斜視図、図２は、手指入れ袋部を反対面に移行させた状態を示す底面斜視図である。
【００１４】
図中、１は、水切れのよいウレタン等からなるクッション材であり、ほぼ手のひらサイズ、好ましくは、ほぼ小判形に構成され、予め使い易い厚さに構成される。
【００１５】
本考案では、前記クッション材１が適宜の布地で覆われる。なお、図面実施例では、前記クッション材１の一側面には、図２に示すように、垢すり用等の粗めの布地２が設けられ、他側面には、図１に示すように、身体洗浄用等の細めの布地３が設けられている。
【００１６】
前記実施例では、前記粗めの布地２が、一方向、すなわち、図２の矢印Ｘ方向の編み目４が強調されたレーヨン等で構成されている。この状態にあっては、垢すり作業は、前記粗めの布地２の前記強調された編み目４と交差する方向、図２の矢印Ｙ方向に移動させて使用される。また、前記細めの布地３としては、例えば、タオル地等の肌触りがよく、洗剤の泡立ちのよい起毛布、その他の材質が選択使用される。
【００１７】
本考案では、前記クッション材１を覆った布地、具体的には、粗めの布地２あるいは細めの布地３の一方の上半部に反対面に移行自在の手指入れ袋部５が形成される。
【００１８】
前記手指入れ袋部５には、通常、親指を除く四本の手指が挿入される。なお、前記手指入れ袋部５は、使用後及び洗濯後に乾燥が速められる布地で構成することが好ましい。
【００１９】
さらに本考案では、前記手指入れ袋部５の表裏両面に、例えば、いわゆるキャラクターと言われる絵図６、７が表示される。該絵図６、７は、前記手指入れ袋部５が布地の場合には刺繍等によって表示される。もっとも、容易に消去されない印刷等によって表示してもよい。図中、８は、水切り、乾燥のための吊り下げ部である。
【００２０】
前記構成にあって、図１には、垢すりの状態が示されている。すなわち、前記手指入れ袋部５が前記細めの布地３面側に位置して反対面には前記粗めの布地２面の全面が露出している。なお、前記手指入れ袋部５の表面にはネコの絵図６が表示されている。
【００２１】
つぎに、前記細めの布地３面で身体の洗浄を行う場合には、前記細めの布地３面に位置している前記手指入れ袋部５が邪魔である。そこで、該手指入れ袋部５を前記粗めの布地２面側に移行させる必要がある。
【００２２】
前記手指入れ袋部５の前記粗めの布地２面側への移行は、該手指入れ袋部５を前記ネコの絵図６の頭部方向に引っくり返すことにより行われる。その結果、前記手指入れ袋部５が粗めの布地２面側に移行させられて前記細めの布地３面の全面が露出させられる。したがって、該細めの布地３面に石鹸等を含ませて身体の洗浄を行うことができる。
【００２３】
前記のごとく、手指入れ袋部５を前記粗めの布地２面側へ移行させた場合には、前記手指入れ袋部５の表面には前記ネコの絵図６に変わって、前記手指入れ袋部５の裏面に予め形成されていたウサギの絵図７が表示されている。図中、８は、不使用時、乾燥時等に使用される吊り下げ部である。
【００２４】
前記のごとく、本考案によれば、身体、食器、その他、被洗浄物の状態に合わせた使用が可能であり、使用形態を楽しむことができ斬新であり、効果的且つ楽しみながら洗浄作業を行うことができる。
【図面の簡単な説明】
【００２５】
【図１】本考案に係る洗浄用具の一部切欠及び使用状態を示す平面斜視図である。
【図２】手指入れ袋部を反対面に移行させた状態を示す底面斜視図である。
【符号の説明】
【００２６】
１    クッション材
２    粗めの布地
３    細めの布地
４    編み目
５    手指入れ部
６    絵図（キャラクター）
７    絵図（キャラクター）
【図１】
0003147633.tif 000003
【図２】
0003147633.tif 000004
【手続補正書】
【提出日】平成20年10月23日(2008.10.23)
【手続補正２】
【補正対象書類名】実用新案登録請求の範囲
【補正対象項目名】請求項２
【補正方法】変更
【補正の内容】
【請求項２】
前記クッション材の一側面の布地が粗めの布地であり、他側面の布地が細めの布地である請求項１に記載の洗浄用具。